(57)【特許請求の範囲】
【請求項１】
レンジフードファンの排気路と、天井裏空間に臨む建物の外壁から屋外の外気を取込む外気取入路とを天井裏空間に設けた熱交換部を介して熱交換可能に構成し、調理室の天井に給気口を設け、前記熱交換部よりも上流側の外気取入路部分に熱交換部または天井裏空間どちらかに流路を切り替える切替部を設けると共に、前記熱交換部に熱交換された暖気の天井裏空間への放出部を設け、前記熱交換部を建物の外壁に近接させたことを特徴とする調理室用換気装置。
【請求項２】
前記熱交換部がドレンパンに載置されていることを特徴とする請求項１記載の調理室用換気装置。
【請求項３】
前記給気口がレンジフードファンの作動・停止と連動して開閉するものであることを特徴とする請求項１または２記載の調理室用換気装置。
【発明の詳細な説明】
【０００１】
【発明の属する技術分野】
本発明は、レンジフードファンの作動に伴う負圧化解消のために外気を給気する調理室用換気装置に関するものである。
【０００２】
【従来の技術】
今日、省エネ、防音、断熱等の要望によって建物の気密化はより進行する傾向にあり、このような建物事情下にあっては調理に伴う燃焼廃ガス、調理臭、蒸気等の排気のためにレンジフードファンを運転すると、調理室は負圧になり、場合によってはストーブ、風呂の煙突からの逆流による爆発や、不完全燃焼による災害が起きる危険性がある。
このようなことから旧来、レンジフードファンによる燃焼廃ガス、調理臭、蒸気等の排気に伴なう調理室負圧化防止のためにレンジフードファンの作動に伴って外気を給気する給排気式のレンジフードファンが提供されている。
給排気式レンジフードファンは、燃焼廃ガス、調理臭、蒸気等を排気する排気ダクトと負圧化防止のために外気を給気する給気ダクトを共に建物の外壁まで配管し、そこで開口している。
【０００３】
【発明が解決しようとする課題】
しかし、特にマンション等の集合住宅ではレンジフードファンが建物の外壁に面さずに住居の奥まった位置等の隣家との境界壁に設置されるケースが多く、このような場合には隣室である居室、寝室等の真上を経由して屋外まで配管される給気ダクトの長さが非常に長くなることから配管施工工事が面倒で且つ施工コストの高騰を招き、しかも専用の極めて長いダクトスペースを別途に確保する必要が生じる。
また、斯様な給排気式のレンジフードファンは、作動に伴って外気を直接給気することから、冬場では冷気を給気し、また夏場では高温の暖気を給気することになり、共に室内空調を阻害してしまう。
【０００４】
本発明は、従来事情に鑑みてなされたもので、その目的とする処は簡単な構造でもって、冬場に排気風の熱によって熱交換された暖かい空気を天井裏空間から調理室に給気し且つ夏場に断熱効果と隣室（調理室、リビングルーム等生活空間として使用する室）の冷房効果とによって比較的温度が下げられた状態にある天井裏空間の空気を調理室に給気するようにして、前記問題点を一掃する調理用換気装置を提供することにある。
他の目的とする処はコールドドラフトが発生するような温度差が生じても外気を直接給気しない調理用換気装置を提供することにある。
【０００５】
【課題を解決するための手段】
上記目的を達成するために講じた技術的手段は、請求項１は、レンジフードファンの排気路と、天井裏空間に臨む建物の外壁から屋外の外気を取込む外気取入路とを天井裏空間に設けた熱交換部を介して熱交換可能に構成し、調理室の天井に給気口を設け、前記熱交換部よりも上流側の外気取入路部分に熱交換部または天井裏空間どちらかに流路を切り替える切替部を設けると共に、前記熱交換部に熱交換された暖気の天井裏空間への放出部を設け、前記熱交換部を建物の外壁に近接させたことを要旨とする。
請求項２は、請求項１記載の熱交換部がドレンパンに載置されていることを要旨とする。
請求項３は、請求項１または２記載の給気口がレンジフードファンの作動・停止と連動して開閉するものであることを要旨とする。
【０００６】
上記技術的手段によれば下記の作用がある。
（請求項１）冬場はレンジフードファンの排気路を流れる排気熱でもって屋外から取込まれた空気は加熱されて熱交換部に設けた放出部から天井裏空間に放出され、給気口から調理室に給気される。一方、夏場は屋外から取込まれた空気が熱交換部を介することなく断熱効果と隣室（調理室、リビングルーム等生活空間として使用する室）の冷房効果とによって比較的温度が下げられた状態にある天井裏空間に吸気されて、調理室に給気される。
また、コールドドラフトが発生する危険温度差になるようなことがあると外気に比べて暖かい天井裏空間の空気を室内に給気して、室内の温度は若干低下するものの、コールドドラフトの発生を抑制する。
更に、外気取入路から天井裏空間に外気を積極的に取入れて流通を良くし、夏場の天井裏空間の温度上昇を抑制する。
（請求項２）結露水をドレンパンから排出する。
（請求項３）冬場のレンジフードファン非作動時に給気口が閉口して、暖房設備によって暖められた調理室内の暖気を天井裏空間に逃さず、夏場のレンジフードファン非作動時に給気口が閉口して、冷房設備によって冷房された調理室内の冷気を天井裏空間に逃がさない。
【０００７】
【発明の実施の形態】
次に、本発明の実施の形態を説明する。
図１乃至図３は第１の実施の形態を、また図４は第２の実施の形態を各々示している。
【０００８】
符号Ａは、マンション等の集合住宅において建物の外壁に面さない住居の奥まった位置に配された調理室に設置したレンジフードファンを示している。
このレンジフードファンＡは排気装置の作動による調理室の負圧化によって自然給気するレンジフードファンである。
【０００９】
このレンジフードファンＡは、図示するようにフード本体ａ１の前方開放部を着脱可能な前板ａ２で被蓋し、内部に排気装置１を、またその前方に仕切板ａ３先端と天板部ａ４内面とに設けたフィルタ桟ａ５に亘ってフィルタａ６を係脱可能に係止し、排気装置１に連絡して排気路（後述では排気ダクトとして説明する）ａ７を室外に配管し、また天板部ａ４上には同天板部ａ４先端に幕板ａ８を立設している。
図示は省略するが、給気口２を天板部ａ４の上部の天井部ｂに設け、幕板ａ８で隠すことは自由である。
【００１０】
符号４００  は、建物Ｂの天井裏空間ｂ１の外壁ｂ２に近接して配設された熱交換部である。
【００１１】
熱交換部４００  は、図２に示すように建物Ｂの外壁ｂ２に近接する天井ｂの裏面位置に設置されている。
排気ダクトａ７は、熱交換部４００  に接続され、排気は排気ダクトａ７から熱交換部４００  を通過後排気ダクトａ７’を通りキャップ９００  から屋外に排出される。
一方、建物Ｂの外壁ｂ２に一端を開口した外気取入路５００  の他端は天井裏空間ｂ１で切替部６００  を経由し、熱交換部４００  に接続されている。
４０１  は、熱交換部４００  で熱交換された外気の天井裏空間ｂ１への放出部（後述では第１放出部と称する）である。
【００１２】
切替部６００  は外気取入路５００  から取入れた外気を熱交換部４００  または天井裏空間ｂ１のどちらかに流路を切り替える電動式の切替弁である。その切替部６００  に熱交換部４００  を介さず天井裏空間ｂ１に放出する放出部（後述では第２放出部と称する）６０１  を設けている。
尚、前記第１放出部４０１  と第２放出部６０１  はその先端の開放部を各々図示するように多孔筒体で形成してある。
【００１３】
符号７００  は熱交換部４００  を載置するドレンパンであり、そのドレン穴７０１  に短尺なホース８００  等を接続し、外壁ｂ２に開孔した小穴ｂ２’から引き出して結露水を外部に放水できるようにしてある。
【００１４】
給気口２は、図３に示すように天井ｂの開口１２口縁裏面に裏打補強した補強桟２２にネジ止めされる給気筒３２と、その給気筒３２に取付けられる化粧パネル４２と、フィルタ５２等とから形成されている。
【００１５】
給気筒３２は、中央部に交差部３２ａ”が形成されるように十字状、放射状等の脚片３２ａ’を設けた筒体３２ａの下端から天井ｂ内面に当接するフランジ３２ｂを周設し、そのフランジ３２ｂを天井ｂにネジ１００  止めし、前記脚片３２ａ’間を通孔３２ｃとしている。
【００１６】
化粧パネル４２は、前記給気筒３２を室内側から被覆する程度の深さ、大きさを有する皿状に形成してある。
また、化粧パネル４２は、前記給気筒３２の交差部３２ａ”と同様の交差部４２ａ”をその交差部３２ａ”の鉛直方向延長上に形成するように底部の殆どの部分を十字状、放射状等の脚片４２ａ’で形成して、その脚片４２ａ’間を給気孔４２ｂとしており、交差部４２ａ”を貫通する取付ネジ２００  を前記給気筒３２の交差部３２ａ”に螺合締結して給気筒３２に取付けられている。
【００１７】
フィルタ５２は、前記化粧パネル４２における全給気孔４２ｂを覆うことができる面積を有する平板状に形成してなり、外周に桟５２ａを備え、前記取付ネジ２００  を挿通させた状態で桟５２ａ部分を化粧パネル４２の給気孔４２ｂ回りに残置された底部内面縁部分に載置してセットされている。
これにより、給気は給気筒３２の脚片３２ａ’間の通孔３２ｃ、フィルタ５２、化粧パネル４２の脚片４２ａ’間の給気孔４２ｂを経て調理室Ｂ’に供給される。
【００１８】
従って、この第１の実施の形態の調理室用換気装置では、排気装置１を作動させると、天井裏空間ｂ１の空気をレンジフードファンＡの作動による室内負圧化に伴って調理室Ｂ’内に自然給気する。その際、冬場、切替部６００  で外気取入路５００  と熱交換部４００  とを連通状態にしておくことで、排気ダクトａ７を通過する排気で熱交換された暖かい外気が第１放出部４０１  から天井裏空間ｂ１に供給されて、調理室Ｂ’の負圧化で給気口２から自然給気されて室内の暖房効果を向上させ、夏場、切替部６００  を切り替えて第２放出部６０１  を開放しておくことで、外気を熱交換部４００  を介することなく天井裏空間ｂ１に第２放出部６０１  から放出して隣室（居室等）や当該室の室内冷房で比較的冷やされている天井裏空間ｂ１の空気によって暖かい外気を冷やし、その温度を下げた天井裏空間の空気を調理室Ｂ’の負圧化で自然給気して室内（調理室）の冷房効果を阻害しないようにすることができる。
また、コールドドラフトが発生する危険温度差になるようなことがあっても外気に比べて暖かい天井裏空間ｂ１の空気を室内に給気するので、室内の温度は若干低下するが、コールドドラフトによる室内暖房への悪影響を抑制できる。
これにより、冬場は熱交換された暖かな空気を、夏場（冬場以外の季節）は比較的冷やされている天井裏空間ｂ１の空気を各々レンジフードファンＡ作動時に給気し、冬場は暖房効果を、また夏場は冷房効果を阻害しないで調理室Ｂ’に給気することができる。
しかも、調理室Ｂ’から建物Ｂの外壁ｂ２までの非常に長い給気ダクトの配管スペースを無駄に確保する必要がないばかりでなく、給気ダクトを室外まで伸ばす大掛かりな配管工事自体も不要となる。
【００１９】
次に第２の実施の形態を説明すると、この実施の形態は、前記給気口２がレンジフードファンＡの作動・停止に連動して開閉するようにしたものである。
【００２０】
給気口２は、図４に示すように天井ｂの開口６２口縁裏面に裏打補強した補強桟７２にネジ止めされる給気筒８２と、その給気筒８２に取付けられる化粧パネル９２と、その化粧パネル９２内を昇降動するシャッタ１０２  と、そのシャッタ１０２  を昇降動させる手段１１２  等から形成されている。
【００２１】
給気筒８２は、空気取り入れ用スリット８２ａ’を有する逆向き有底筒状の本体８２ａの下端から天井ｂ内面に当接するフランジ８２ｂを周設し、そのフランジ８２ｂを天井ｂにネジ３００  止めすると共に、フランジ８２ｂ先端に弾性係合片８２ｃを室内に向けて形成している。
【００２２】
化粧パネル９２は、前記本体８２ａを室内側から被覆する大きさの皿状を呈し、その開口縁を前記弾性係合片８２ｃに係脱可能に係合して本体８２ａをカバーするように被装され、テーパー状の周面には適宜間隔をおいて給気孔９２ａが穿設されている。
【００２３】
シャッタ１０２  は、前記化粧パネル９２の底部の面積とほぼ同じ面積に形成すると共に、周縁に弾性体１０２  ａを嵌着固定してなり、その弾性体１０２  ａが化粧パネル９２の底部内面に載置（当接）されるように下降した状態で給気孔９２ａ、給気筒８２、空気取り入れ用スリット８２ａ’が連通されて調理室Ｂ’に給気し、弾性体１０２  ａが前記給気筒のフランジ８２ｂに当接するように上昇した状態で給気孔９２ａと給気筒８２内との連通を遮断するようになっている。
【００２４】
前記シャッタを昇降動させる手段１１２  は、前記本体８２ａの頂面に設けたギヤーモータ１１２  ａと、そのギヤーモータ１１２  ａの回転軸１１２  ｂにカップリング１１２  ｃを介して鉛直方向に垂設されたネジ棒１１２  ｄと、そのネジ棒１１２  ｄを貫通状に螺合し且つ周面に前記シャッタ１０２  を嵌合支持する案内体１１２  ｅとで形成されている。
また、シャッタ１０２  の所望位置には遊挿孔１０２  ｂが開孔され、フランジ８２ｂに一端が止着されたガイド棒８２ｄがその遊挿孔１０２  ｂに挿入されている。
【００２５】
従って、この第２の実施の形態の調理室用換気装置では、レンジフードファンＡの作動に連動してギヤーモータ１１２  ａが正回転し、シャッタ１０２  がガイド棒８２ｄでガイドしながら下降して化粧パネル９２の底部内面に周縁の弾性体１０２  ａを当接させる。これにより給気孔９２ａ、給気筒８２、空気取り入れ用スリット８２ａ’が連通され、調理室Ｂ’に給気する。
レンジフードファンＡの作動が停止すると、ギヤーモータ１１２  ａが逆回転し、シャッタ１０２  をガイド棒８２ｄでガイドしながら上昇させて給気筒８２のフランジ８２ｂに周縁の弾性体１０２  ａを当接させる。これにより給気孔９２ａと給気筒８２内との間が遮断され、給気されない。
この第２の実施の形態では、レンジフードファンＡ非作動時に給気口２が閉じて室内空調（夏場は冷房効果、冬場は暖房効果）が天井裏空間ｂ１に逃げず、省エネになるし、調理室Ｂ’を快適に使用することができる。
【００２６】
建物Ｂの外壁ｂ２で開口した外気取入路５００  の入口には前記排気ダクトａ７’の出口と同様に図１に示すように防虫網９０１  を有するキャップ９００  を接続する。
【００２７】
尚、本考案は、屋外の外気を外気取入路で天井裏空間に取入れて自ずとその天井裏空間の流通を良くして温度を下げるようにして冷房効果の低下を抑制するようにしているから、高層ビルや集合住宅ばかりでなく、夏場に直射日光で加熱され易い戸建住宅を含む平屋や２階建の家屋であっても等しく利用できる。
【発明の効果】
本発明は以上のように構成したから下記の利点がある。
（請求項１）レンジフードファンの排気路と、天井裏空間に臨む建物の外壁から屋外の外気を取込む外気取入路とを天井裏空間に設けた熱交換部を介して熱交換可能に構成し、調理室の天井に給気口を設け、前記熱交換部よりも上流側の外気取入路部分に熱交換部または天井裏空間どちらかに流路を切り替える切替部を設けると共に前記熱交換部に熱交換された暖気の天井裏空間への放出部を設けて、冬場に排気熱で熱交換された暖かい空気を調理室に取り込むようにしたから、冬場に調理室をより快適に使用でき、また冬場以外の給気で熱交換が好ましくない場合には切り替えることができ、省エネになるばかりでなく、熱交換部を建物の外壁近傍に設けたことから、レンジフードファンから屋外まで伸びる大掛かりな給気ダクトの配管施工を行う必要がなくなる。
従って、大掛かりな給気ダクトの配管施工を行う必要なく、また冬場の暖房効果、夏場の冷房効果の低下を低く抑えて給気でき、施工性が良く且つ調理室を快適に使用できる換気装置を提供できる。
その上、コールドドラフトが発生する危険温度差になるようなことがあっても外気に比べて暖かい天井裏空間の空気を室内に給気するので、室内の温度は若干低下するが、コールドドラフトによる室内暖房への悪影響を抑制できる。
また、レンジフードファンの作動に伴って建物外から天井裏空間内に外気が導入されることになるから、天井裏の除湿、結露防止、カビの発生等が防止され、建物の寿命、保全にも有効である。
しかも、外気取入路から外気を積極的に取り入れるようにしていることから、夏場籠りがちな天井裏空間の流通を良くして、天井裏空間の温度を下げ、冷房効果の低下をより低く抑えて調理室に給気することができる。
（請求項２）熱交換部をドレンパンに載置したから、そのドレンパンに小さな穴を開け、その小穴に接続した短いホースを建物の外壁から外に出す簡単な方法で熱交換に伴って発生する結露水を排出処理することができる。
（請求項３）冬場のレンジフードファン非作動時には給気口が閉口して、暖房設備によって暖められた調理室内の暖気を天井裏空間に逃さず、夏場のレンジフードファン非作動時には同様に給気口が閉口して、冷房設備によって冷房された調理室内の冷気を天井裏空間に逃がさないから、レンジフードファン不使用時における冬場の暖房効果、夏場の冷房効果を阻害することが全くなくなり、省エネになるばかりでなくレンジフードファン不使用時における調理室の使用を快適にすることができる。
【図面の簡単な説明】
【図１】第１の実施の形態の概略を示す正面断面図。
【図２】図１における要部の斜視図で一部切欠して示す。
【図３】給気口部分の拡大断面図。
【図４】第２の実施の形態における給気口部分の拡大断面図。
【符号の説明】
Ａ    ：レンジフードファン            ａ７    ：排気路
ｂ１：天井裏空間                  ４００      ：熱交換部
Ｂ    ：建物                          ｂ１    ：外壁
Ｂ’：調理室                        ２      ：給気口
４０１  ：放出部（第１放出部）    ６００    ：切替部
６０１  ：放出部（第２放出部）    ７００    ：ドレンパン
５００  ：外気取入路
【図１】
0003607372.tif 000002
【図２】
0003607372.tif 000003
【図３】
0003607372.tif 000004
【図４】
0003607372.tif 000005